(57)【要約】【課題】画像データに含まれる周期的なパターンと画像出力装置でハーフトーン（中間調）を再現する際のスクリーン処理に用いられる周期的なパターンとが干渉して画質が低下するような印刷を抑制する画像処理装置及びプログラムを提供する。【解決手段】画像処理装置３は、周期的なパターンを含む画像データにスクリーン処理を施すスクリーン処理手段３０３と、スクリーン処理前の画像データの画質の評価値とスクリーン処理後の画像データの画質の評価値との差が予め定められた値から外れる場合、その旨を示す警告情報を出力する警告手段３０４とを備える。【選択図】図１
2020005117.tif 000002
【特許請求の範囲】
【請求項１】
周期的なパターンを含む画像データにスクリーン処理を施す処理手段と、
前記スクリーン処理前の前記画像データの画質の評価値と前記スクリーン処理後の前記画像データの画質の評価値との差が予め定められた値から外れる場合、その旨を示す警告情報を出力する警告手段と、
を備えた画像処理装置。
【請求項２】
前記警告手段は、特定のオブジェクトについて前記評価値を算出する、
請求項１に記載の画像処理装置。
【請求項３】
前記警告手段は、前記スクリーン処理前の前記特定のオブジェクトを構成する画素の画素値の平均値と前記スクリーン処理後の前記特定のオブジェクトを構成する画像の画素値の平均値との差が予め定められた値から外れる場合、前記警告情報を出力する、
請求項２に記載の画像処理装置。
【請求項４】
前記特定のオブジェクトは、イメージオブジェクトである、
請求項２又は３に記載の画像処理装置。
【請求項５】
前記イメージオブジェクトは、可逆圧縮データによるものである、
請求項４に記載の画像処理装置。
【請求項６】
前記警告手段は、対応する前記画像データのプレビュー画像に前記警告情報を含ませて表示する、
請求項１から５のいずれか１項に記載の画像処理装置。
【請求項７】
前記警告手段は、対応する前記画像データに前記警告情報を含ませて記録媒体に印刷して出力するよう制御する、
請求項１から５のいずれか１項に記載の画像処理装置。
【請求項８】
前記警告情報は、前記特定のオブジェクトを特定の色で表現することである、
請求項６又は７に記載の画像処理装置。
【請求項９】
前記警告手段は、前記警告情報をさらに履歴情報としても記録する、
請求項６から８のいずれか１項に記載の画像処理装置。
【請求項１０】
印刷データを含む印刷指示情報を受け付ける受付手段と、
前記印刷データから前記画像データを生成する生成手段と、をさらに備え、
前記印刷指示情報が前記スクリーン処理の設定内容を含む場合、前記処理手段は、前記スクリーン処理の設定内容を優先させて前記スクリーン処理を行う、
請求項１から９のいずれか１項に記載の画像処理装置。
【請求項１１】
印刷データを含む印刷指示情報を受け付ける受付手段と、
前記印刷データから前記画像データを生成する生成手段と、をさらに備え、
前記印刷指示情報は、前記警告情報の出力を有効とするか無効とするかの情報を含み、
前記警告手段は、前記情報に従う、
請求項１から９のいずれか１項に記載の画像処理装置。
【請求項１２】
コンピュータを、
周期的なパターンを含む画像データにスクリーン処理を施す処理手段と、
前記スクリーン処理前の前記画像データの画質の評価値と前記スクリーン処理後の前記画像データの画質の評価値との差が予め定められた値から外れる場合、その旨を示す警告情報を出力する警告手段、
として機能させるためのプログラム。
【発明の詳細な説明】
【技術分野】
【０００１】
本発明は、画像処理装置及びプログラムに関する。
【背景技術】
【０００２】
近年、原稿とスクリーンとの干渉によるモワレが発生するか否かを判別する画像形成装置が提案されている（例えば、特許文献１参照。）。
【０００３】
特許文献１に記載された画像形成装置は、入力画像に対して所定の画像処理を行い印刷可能な画像データを生成する画像処理部を備える画像形成装置であって、画像データを出力する前に入力画像とスクリーンの干渉によるモアレの発生を判別するモアレ判別部と、モアレの発生有無によりハーフトーン処理方法の切替えを行うハーフトーン処理切替え部とを備える。モアレ判別部は、原稿画像の周波数とスクリーンの周波数とからモアレ周波数を求め、モアレ周波数のうち最も低いモアレ周波数が所定の値未満の場合に、出力画像にモアレが目立つとしてモアレの発生をユーザに警告する。
【先行技術文献】
【特許文献】
【０００４】
【特許文献１】特開２００７−１２９５５８号公報
【発明の概要】
【発明が解決しようとする課題】
【０００５】
本発明の課題は、画像データに含まれる周期的なパターンと画像出力装置でハーフトーン（中間調）を再現する際のスクリーン処理に用いられる周期的なパターンとが干渉して画質が低下するような印刷を抑制する画像処理装置及びプログラムを提供することにある。
【課題を解決するための手段】
【０００６】
［１］周期的なパターンを含む画像データにスクリーン処理を施す処理手段と、
前記スクリーン処理前の前記画像データの画質の評価値と前記スクリーン処理後の前記画像データの画質の評価値との差が予め定められた値から外れる場合、その旨を示す警告情報を出力する警告手段と、を備えた画像処理装置。
［２］前記警告手段は、特定のオブジェクトについて前記評価値を算出する、前記［１］に記載の画像処理装置。
［３］前記警告手段は、前記スクリーン処理前の前記特定のオブジェクトを構成する画素の画素値の平均値と前記スクリーン処理後の前記特定のオブジェクトを構成する画像の画素値の平均値との差が予め定められた値から外れる場合、前記警告情報を出力する、前記［２］に記載の画像処理装置。
［４］前記特定のオブジェクトは、イメージオブジェクトである、前記［２］又は［３］に記載の画像処理装置。
［５］前記イメージオブジェクトは、可逆圧縮データによるものである、前記［４］に記載の画像処理装置。
［６］前記警告手段は、対応する前記画像データのプレビュー画像に前記警告情報を含ませて表示する、前記［１］から［５］のいずれか１つに記載の画像処理装置。
［７］前記警告手段は、対応する前記画像データに前記警告情報を含ませて記録媒体に印刷して出力するよう制御する、前記［１］から［５］のいずれか１つに記載の画像処理装置。
［８］前記警告情報は、前記特定のオブジェクトを特定の色で表現することである、前記［６］又は［７］に記載の画像処理装置。
［９］前記警告手段は、前記警告情報をさらに履歴情報としても記録する、前記［６］から［８］のいずれか１つに記載の画像処理装置。
［１０］印刷データを含む印刷指示情報を受け付ける受付手段と、
前記印刷データから前記画像データを生成する生成手段と、をさらに備え、
前記印刷指示情報が前記スクリーン処理の設定内容を含む場合、前記処理手段は、前記スクリーン処理の設定内容を優先させて前記スクリーン処理を行う、前記［１］から［９］のいずれか１つに記載の画像処理装置。
［１１］印刷データを含む印刷指示情報を受け付ける受付手段と、
前記印刷データから前記画像データを生成する生成手段と、をさらに備え、
前記印刷指示情報は、前記警告情報の出力を有効とするか無効とするかの情報を含み、
前記警告手段は、前記情報に従う、前記［１］から［９］のいずれか１つに記載の画像処理装置。
［１２］コンピュータを、周期的なパターンを含む画像データにスクリーン処理を施す処理手段と、
前記スクリーン処理前の前記画像データの画質の評価値と前記スクリーン処理後の前記画像データの画質の評価値との差が予め定められた値から外れる場合、その旨を示す警告情報を出力する警告手段、として機能させるためのプログラム。
【発明の効果】
【０００７】
請求項１、１２に係る発明によれば、画像データに含まれる周期的なパターンと画像出力装置でハーフトーン（中間調）を再現する際のスクリーン処理に用いられる周期的なパターンとが干渉して画質が低下するような印刷を抑制することができる。
請求項２〜５に係る発明によれば、全てのオブジェクトについて評価値を算出するよりも評価値を高速に算出することができる。
請求項６、７に係る発明によれば、どの画像が画質劣化するかが分かる。
請求項８に係る発明によれば、どのオブジェクトが画質劣化するかが分かる。
請求項９に係る発明によれば、プレビュー画像又は印刷物で警告情報を見逃した場合でも履歴情報を調べれば画質劣化の有無が分かる。
請求項１０に係る発明によれば、印刷を指示する側の設定を反映したスクリーン処理を行うことができる。
請求項１１に係る発明によれば、印刷を指示する側からスクリーンに関する警告を行わないよう指示することができる。
【図面の簡単な説明】
【０００８】
【図１】図１は、本発明の実施の形態に係る画像処理システムの構成例を示すブロック図である。
【図２】図２は、警告に関する設定画面の一例を示す図である。
【図３】図３は、画質に関する設定画面の一例を示す図である。
【図４】図４（ａ）、（ｂ）は、スクリーンパターンの一例を示す図である。
【図５】図５（ａ）〜（ｃ）は、スクリーン処理によって出力結果の再現性が低下する例を示す図である。
【図６】図６は、本実施の形態に係る画像処理システムの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像処理装置は、周期的なパターンを含む画像データにスクリーン処理を施す処理手段と、スクリーン処理前の画像データの画質の評価値とスクリーン処理後の画像データの画質の評価値との差が予め定められた値から外れる場合、その旨を示す警告情報を出力する警告手段とを備える。
【００１１】
「周期的なパターン」とは、複数の画素（ドット）で構成されるマトリクス（矩形形状に限定されない）が周期的に配列されたパターンをいい、例えば、千鳥格子パターン、擬似中間調を表現する際に用いられるいわゆるディザパターン等が該当する。
【００１２】
「スクリーン処理」とは、元の画像データよりも階調数が少ない画像データ（例えば、２値画像データ）で疑似的にハーフトーン（中間調）を再現する処理をいう。スクリーン処理には、複数のドットを有して構成されたｍ×ｎ画素のパターン（以下「スクリーンパターン」ともいう。）が用いられる。スクリーンパターンには、例えば、特定間隔で（線数ともいう）並べられたラインの幅を変化させることで疑似中間調を表現するラインタイプ（万線スクリーンということもある）と、その中心が特定間隔で配置されたドットの大きさを変えることで疑似中間調を表現するドットタイプとがある。
【００１３】
［実施の形態］
図１は、本発明の実施の形態に係る画像処理システムの構成例を示すブロック図である。この画像処理システム１は、印刷指示装置２と、画像処理装置３と、画像出力装置４とを有して構成されている。印刷指示装置２及び画像出力装置４は、複数でもよい。画像処理装置３は、例えば、プリントサーバ等の機能を有するサーバ装置が該当する。
【００１４】
印刷指示装置２は、例えば、パーソナルコンピュータ、タブレット型端末、多機能携帯電話機（スマートフォン）等の携帯情報端末が含まれる。印刷指示装置２は、印刷ジョブを画像処理装置３に送信するものである。印刷ジョブは、印刷を指示する印刷指示情報の一例である。
【００１５】
印刷ジョブは、印刷ジョブを識別するジョブＩＤと、画像処理装置３や画像出力装置４が解釈できるページ記述言語（ＰＤＬ：Page Description Language）で記述された印刷データと、両面／片面や部数等の各種の印刷の条件等の印刷の属性を示す属性情報とを含んで構成されている。
【００１６】
ＰＤＬには、例えば、ＰＤＦ（Portable Document Format)や、ＰｏｓｔＳｃｒｉｐｔ（登録商標）、ＰＣＬ（Printer Command Language）等がある。
【００１７】
印刷データは、写真等の多階調データを含み、さらに飾り線、罫線、模様等を表現する周期的なパターンを含む場合がある。さらに、ディザマトリクス等によって中間調を表現した画像の中にも周期的なパターンが含まれる場合がある。一方、画像出力装置４が多階調データに対応していない場合、多階調データは、画像処理装置３でスクリーン処理されて画像出力装置４に送信される。
【００１８】
画像出力装置４は、例えば、電子写真方式、インクジェット方式等により用紙等の記録媒体に画像を形成するプリンタや、スキャン、プリント、複写、ファクシミリ等の複数の機能を有する複合機を用いることができる。本実施の形態では、イエロー（Ｙ）、シアン（Ｃ）、マゼンタ（Ｍ）、黒（Ｋ）の各色のトナーを用いてカラ−画像又は白黒画像を形成するプリンタを用いる。
【００１９】
（画像処理装置の構成）
画像処理装置３は、この装置３の各部を制御する制御部３０と、各種の情報を記憶する記憶部３１と、キーボードやマウス等で実現される入力部３２と、液晶ディスプレイ等で実現される表示部３３と、印刷指示装置２との間で通信するネットワークＩ／Ｆ（インターフェース）３４Ａと、画像出力装置４との間で通信するネットワークＩ／Ｆ（インターフェース）３４Ｂとを備える。
【００２０】
制御部３０は、ＣＰＵ（Central Processing Unit）、インターフェース等から構成されている。ＣＰＵは、記憶部３１に記憶されたプログラム３１０に従って動作することにより、受付手段３００、ラスタライズ手段３０１、オブジェクト判別手段３０２、スクリーン処理手段３０３、警告手段３０４、プレビュー画像生成手段３０５、印刷制御手段３０６等として機能する。ラスタライズ手段３０１は、生成手段の一例である。スクリーン処理手段３０３は、処理手段の一例である。これらの手段３００〜３０６については後述する。
【００２１】
記憶部３１は、ＲＯＭ（Read Only Memory）、ＲＡＭ（Random Access Memory）、ハードディスク等から構成される。記憶部３１は、プログラム３１０、ＣＭＹＫ版のラスター画像データ３１１、ＴＡＧ版のラスター画像データ３１２、プレビュー画像３１３、スクリーンパターンテーブル３１４、ジョブ履歴情報３１５等の各種情報を記憶する。スクリーンパターンテーブル３１４には、スクリーンパターンを識別するスクリーンパターンＩＤに対応してスクリーンパターンの情報が記録されている。ジョブ履歴情報３１５は、履歴情報の一例である。
【００２２】
図２は、警告に関する設定画面の一例を示す図である。設定画面１０は、「お気に入り」、「詳細設定」、「設定一覧」のタブのうち「詳細設定」のタブを選択し、メニュー領域１０ａに表示された「設定」に属する「警告/検出」の項目を選択した状態を示している。作業領域１０ｂに表示された「スクリーン警告を有効にする」の項目１０ｃを選択し、スクリーン処理前後の後述する特定のオブジェクトを構成する画素の画素値の平均値（以下「画素平均値」ともいう。）の差ΔＤｍに対する閾値の上限値の入力欄１０ｄに上限値（プラスの符合側）Ｔｈ１を入力し、下限値の入力欄１０ｅに下限値（マイナスの符合側）Ｔｈ２を入力してスクリーンに関する警告を設定する。画素平均値は、画質の評価値の一例である。閾値の上限値Ｔｈ１と下限値Ｔｈ２は、予め定められた値の一例である。画素平均値の差ΔＤｍと、閾値の上限値Ｔｈ１及び下限値Ｔｈ２については後述する。
【００２３】
図３は、画質に関する設定画面の一例を示す図である。設定画面１１は、「お気に入り」、「詳細設定」、「設定一覧」のタブのうち「詳細設定」のタブを選択し、メニュー領域１１ａに表示された「画質」に属する「画質調整」の項目を選択した状態を示している。スクリーンパターンには、ドットタイプ（図４（ｂ）参照）として１５０ｄｏｔ、２００ｄｏｔ、３００ｄｏｔが、ラインタイプ（図４（ａ）参照）として２００ｌｉｎｅが用意されている。また、スクリーン線数やスクリーン角度を持たないでハーフトーンを表現するものとして誤差拡散が用意され、それらがスクリーンパターンテーブル３１４に記録されている。同図はドットタイプのスクリーンパターンとして２００ｄｏｔが選択された状態を示す。
【００２４】
図４は、スクリーンパターンテーブル３１４に記録されているスクリーンパターンのタイプを示す図である。図４（ａ）は、ラインタイプのスクリーンパターンの一例を示し、図４（ｂ）は、ドットタイプのスクリーンパターンの一例を示す。
【００２５】
画像データの周期的なパターンとスクリーン処理に用いられるスクリーンパターンとが干渉してモワレ、濃度ムラ等の画質劣化が発生する場合がある。干渉による画質劣化には、網点が増えて濃く又は太く見える欠陥１２ａ（図５（ｂ）参照）と、網点が減って薄く、細く又は消えて見える欠陥１２ｂ（図５（ｃ）参照）等がある。それらを図５を参照して説明する。
【００２６】
図５は、スクリーン処理によって出力結果の再現性が低下する例を示す図である。図５（ａ）は、スクリーン処理を行う前のＣＭＹＫ版のラスター画像データ３１１の要部を示す図である。拡大図に示すように、飾り線１２が格子パターンで形成されている。図５（ｂ）は、図５（ａ）に示すラスター画像データ３１１を２００ｄｏｔのドットタイプのスクリーンパターンを用いてスクリーン処理した場合の飾り線１２の一部がドットが増えて濃く又は太く見える欠陥１２ａを示す。図５（ｃ）は、図５（ａ）に示すラスター画像データ３１１を２００ｄｏｔのドットタイプのスクリーンパターンを用いてスクリーン処理した場合の飾り線１２の一部がドットが減って薄く又は消えて見える欠陥１２ｂを示す。
【００２７】
図５（ｂ）に示す飾り線１２の欠陥１２ａは、スクリーン処理前とスクリーン処理後の画素平均値の差ΔＤｍが閾値の上限値Ｔｈ１よりも大きい場合に現れる現象である。図５（ｃ）に示す飾り線１２の欠陥１２ｂは、スクリーン処理前とスクリーン処理後の画素平均値の差ΔＤｍが閾値の下限値Ｔｈ２よりも小さい場合に現れる現象である。閾値の上限値Ｔｈ１及び下限値Ｔｈ２の設定によっては、画素平均値の差ΔＤｍが上限値Ｔｈ１と下限値Ｔｈ２との間に入っていても（ΔＤｍ＝Ｔｈ１又はＴｈ２を含む。）、スクリーン処理後のラスター画像データ３１１に図５（ｂ）、（ｃ）に示すような欠陥１２ａ、１２ｂが現れずにモワレが現れる場合があり、スクリーン処理後のラスター画像データ３１１に図５（ｂ）、（ｃ）に示すような欠陥１２ａ、１２ｂ及びモワレが現れない場合がある。
【００２８】
（各手段の説明）
次に、制御部３０の各手段３００〜３０６について説明する。
【００２９】
受付手段３００は、印刷指示装置２から送信される印刷ジョブを受け付ける。印刷ジョブに含まれる属性情報は、警告情報の出力を有効とするか無効とするかの情報を含む場合がある。また、印刷ジョブに含まれる属性情報は、スクリーン処理の設定内容を含む場合がある。また、受付手段３００は、設定画面１０、１１等の各種の設定画面に対する操作を受け付ける。
【００３０】
ラスタライズ手段３０１は、印刷ジョブに含まれる印刷データをラスタライズ処理してラスター画像データを生成する。ラスター画像データは、属性情報に応じて生成され、１ドット（画素、pixel）単位の点の集まりで構成されたビットマップ形式のイメージデータである。具体的には、ラスタライズ手段３０１は、ＣＭＹＫの各色に対応したＣＭＹＫ版のラスター画像データ３１１を生成するとともに、ＴＡＧ版のラスター画像データ３１２を生成する。ＣＭＹＫ版のラスター画像データ３１１は、ＣＭＹＫの各版のラスター画像データによって構成されている。ＣＭＹＫ版のラスター画像データ３１１は、画像データの一例である。
【００３１】
ＴＡＧ版のラスター画像データ３１２は、例えば、オブジェクトの種別を示すオブジェクトＩＤ（タグ情報）を画素ごとに含む画像データである。ＴＡＧ版のラスター画像データ３１２は、印刷データに含まれている状態では必ずしもＣＭＹＫの各版のラスター画像データと解像度が同じとは限らないので、ここではＣＭＹＫの各版のラスター画像データと解像度を合わせるための解像度変換処理を行うこととしている。
【００３２】
ＴＡＧ版のラスター画像データ３１２は、例えば、ＪＰＥＧ（Joint Photographic Experts Group）、ＧＩＦ（Graphics Interchange Format）、ＰＮＧ（Portable Network Graphics）等の出力形式で生成される。
【００３３】
オブジェクト判別手段３０２は、ＴＡＧ版のラスター画像データ３１２によりオブジェクトの種別を解析し、特定のオブジェクトか否かを判別する。オブジェクト判別手段３０２は、特定のオブジェクトであると判別すると、その判別結果をスクリーン処理手段３０３及び警告手段３０４に出力する。
【００３４】
特定のオブジェクトとして、例えば、文字（ｔｅｘｔ）オブジェクト、線（ｓｔｒｏｋｅ）オブジェクト、塗りつぶし（ｆｉｌｌ）オブジェクト、影（ｓｈａｄｅ）オブジェクトの種別を対象から外し、イメージ（ｉｍａｇｅ）オブジェクトの種別を対象とする。また、イメージオブジェクトのうちｇｉｆやｐｎｇ、ｚｉｐ等の可逆圧縮データを示すファイル拡張子のデータを含むものを特定のオブジェクトとしてもよい。可逆圧縮データの方がｊｐｅｇ等の非可逆圧縮データよりも干渉が起こりやすいため、イメージオブジェクトを更に絞ることにより全てのイメージオブジェクトに対して警告手段３０４が処理する場合よりも高速に処理することができる。
【００３５】
スクリーン処理手段３０３は、ＣＭＹＫ版のラスター画像データ３１１を、図３に示す設定画面１１で設定されたスクリーンパターンを用いてＣＭＹＫ版のラスター画像データ３１１全体にスクリーン処理を施して画像データを生成する。また、スクリーン処理手段３０３は、印刷ジョブの属性情報がスクリーン処理の設定内容を含む場合、印刷ジョブ側のスクリーン処理の設定内容を優先させてスクリーン処理を行ってもよい。また、スクリーン処理手段３０３は、警告の設定に従ってスクリーン処理を行う場合は、オブジェクト判別手段３０２からの判別結果に基づいてＣＭＹＫ版のラスター画像データ３１１に含まれる特定のオブジェクトに対して図３に示す設定画面１１で設定されたスクリーンパターンを用いてスクリーン処理を行う。
【００３６】
警告手段３０４は、スクリーン処理前のＣＭＹＫ版のラスター画像データ３１１の画質の評価値とスクリーン処理後のＣＭＹＫ版のラスター画像データ３１１の画質の評価値との差が予め定められた値から外れる場合、その旨を示す警告情報を出力する。具体的には、警告手段３０４は、スクリーン処理前の画素平均値をＤｍｂ、スクリーン処理後の画素平均値をＤｍａとし、スクリーン処理前の画素平均値Ｄｍｂとスクリーン処理後の画素平均値Ｄｍａとの差ΔＤｍを次の式（１）により求める。
ΔＤｍ＝Ｄｍａ−Ｄｍｂ                          ・・・（１）
そして、上記差ΔＤｍが設定画面１０で設定された閾値の上限値Ｔｈ１と下限値Ｔｈ２との間（範囲）から外れる場合、その旨を示す警告情報を出力する。
【００３７】
画素平均値は、特定のオブジェクトを構成する画素の画素値の合計値を、特定のオブジェクトを構成する画素の画素数で割って算出する。図５（ｂ）に示す欠陥１２ａの場合は、差ΔＤｍはプラスの符号を持ち、図５（ｃ）に示す欠陥１２ｂの場合は、差ΔＤｍはマイナスの符号を持つ。
【００３８】
警告手段３０４は、警告情報を出力する場合、例えば、プレビュー画像生成手段３０４によって生成されたプレビュー画像３１３に警告情報を含ませて表示してもよく、ＣＭＹＫ版のラスター画像データ３１１に警告情報を含ませて印刷して出力するよう画像出力装置４を制御してもよい。具体的には、プレビュー画像３１３の特定のオブジェクトを特定の色（警告色ともいう。）で表現して表示部３３に表示する。また、ＣＭＹＫ版のラスター画像データ３１１の特定のオブジェクトを特定の色で表現して印刷するよう制御する。これにより、画質が劣化する可能性があること、及びどのオブジェクトの画質が劣化する可能性があることをユーザが知ることができる。
【００３９】
特定の色としては、出力対象に応じて決めてもよい。プレビュー画像３１３に対しては赤色等の目立つ色が好ましい。印刷物の場合は、金属色（金色、銀色等）や非金属色（透明、白色、有色等）、又は目立つ色として例えば暖色系の色（赤色、オレンジ色、黄色等）を用いてもよい。また、プレビュー画像３１３に対して点滅させる、ハイライト表示する、アニメーション表示する等の強調表示でもよい。また、プレビュー画像３１３又はＣＭＹＫ版のラスター画像データ３１１に含める警告情報として、何らかの情報（例えば、文字、記号、図形、付箋、矢印、目印、輪郭線等）を装飾的に付加する表示等でもよく、「イメージオブジェクトが画質劣化する可能性があります」等のようなメッセージでもよい。
【００４０】
警告手段３０４は、警告情報を上記に加えてさらにジョブ履歴情報３１５に記録してもよい。ジョブ履歴情報３１５に記録する警告情報としては、例えば、画質劣化の可能性がある旨の情報、画質劣化の可能性があるオブジェクトを含むジョブＩＤ、ページ、当該オブジェクトの場所（座標）やサイズ等が含まれる。
【００４１】
警告手段３０４は、印刷ジョブの属性情報が警告情報の出力を有効とするか無効とするかの情報を含む場合、その情報に従う。
【００４２】
プレビュー画像生成手段３０５は、ＣＭＹＫ版のラスター画像データ３１１に基づいてプレビュー画像３１３を生成し、記憶部３１に記憶する。プレビュー画像３１３は、例えば、ＣＭＹＫ版のラスター画像データ３１１の解像度を低下させた画像である。
【００４３】
印刷制御手段３０６は、警告手段３０４が警告情報を出力しない場合は、スクリーン処理手段３０３がＣＭＹＫ版のラスター画像データ３１１全体に対してスクリーン処理して生成された画像データを印刷するよう画像出力装置４を制御する。なお、印刷制御手段３０６は、警告情報を出力する場合であっても確認画面を表示部３３に表示してユーザから印刷指示があった場合にスクリーン処理された画像データを印刷するよう画像出力装置４を制御してもよい。
【００４４】
（実施の形態の動作）
次に、画像処理システム１の動作の一例について図６を参照して説明する。図６は、画像処理システム１の動作の一例を示すフローチャートである。
【００４５】
画像処理装置３の受付手段３００が印刷指示装置２から送信された印刷ジョブを受け付けると、ラスタライズ手段３０１は、印刷ジョブに含まれるＰＤＬデータによる印刷データをラスタライズ処理してＣＭＹＫ版のラスター画像データ３１１を生成するとともに、ＴＡＧ版のラスター画像データ３１２を生成する。ラスタライズ手段３０１は、ＣＭＹＫ版のラスター画像データ３１１及びＴＡＧ版のラスター画像データ３１２を記憶部３１に記憶する。
【００４６】
オブジェクト判別手段３０２は、ＴＡＧ版のラスター画像データ３１２によりオブジェクトの種別を解析し（Ｓ１）、イメージオブジェクトか否かを判別する（Ｓ２）。イメージオブジェクトと判別できた場合は（Ｓ２：Ｙｅｓ）、その判別結果をスクリーン処理手段３０３及び警告手段３０４に出力する。
【００４７】
警告手段３０４は、オブジェクトがイメージオブジェクトと判別された場合（Ｓ２：Ｙｅｓ）、オブジェクト判別手段３０２からのオブジェクトの判別結果に基づいてスクリーン処理前のイメージオブジェクトの画素平均値Ｄｍｂを算出する（Ｓ３）。
【００４８】
スクリーン処理手段３０３は、オブジェクト判別手段３０２からのオブジェクトの判別結果に基づいてＣＭＹＫ版のラスター画像データ３１１に含まれるイメージオブジェクトに対してスクリーン処理を施す（Ｓ４）。
【００４９】
警告手段３０４は、スクリーン処理後のＣＭＹＫ版のラスター画像データ３１１に対してステップＳ３と同様に、スクリーン処理後のイメージオブジェクトの画素平均値Ｄｍａを算出する（Ｓ５）。
【００５０】
警告手段３０４は、スクリーン処理前の画素平均値Ｄｍｂとスクリーン処理後の画素平均値Ｄｍａとを比較し（Ｓ６）、両者の差ΔＤｍが閾値の上限値Ｔｈ１と下限値Ｔｈ２との間（範囲）から外れているか否かを判断する（Ｓ７）。
【００５１】
上記差が上記範囲から外れている場合は（Ｓ７：Ｙｅｓ）、警告手段３０４はプレビュー画像生成手段３０５が生成したプレビュー画像３１３のうちイメージオブジェクトを警告色で塗りつぶし、表示部３３に表示する（Ｓ８）。警告手段３０４は警告情報をジョブ履歴情報３１５に記録する（Ｓ９）。
【００５２】
以上、本発明の実施の形態を説明したが、本発明の実施の形態は上記実施の形態に限定されるものではなく、本発明の要旨を変更しない範囲内で種々の変形、実施が可能である。例えば、警告手段３０４は、警告情報を出力した場合、「スクリーンパターンを変更しますか？」のようなメッセージとともにスクリーンに関する設定画面１１を表示してスクリーンパターンを変更させ再度画質の評価を行ってもよい。また、画像出力装置４を含む画像形成装置に対しても本発明を適用することは可能である。
【００５３】
制御部３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５４】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００５５】
１…画像処理システム、２…印刷指示装置、３…画像処理装置、４…画像出力装置、３０…制御部、１０…設定画面、１０ａ…メニュー領域、１０ｂ…作業領域、１０ｃ…項目、１０ｄ、１０ｅ…入力欄、１１…設定画面、１１ａ…メニュー領域、１１ｂ…作業領域、１２…飾り線、１２ａ、１２ｂ…欠陥、３１…記憶部、３２…入力部、３３…表示部、３４Ａ、３４Ｂ…ネットワークＩ／Ｆ、３００…受付手段、３０１…ラスタライズ手段、３０２…オブジェクト判別手段、３０３…スクリーン処理手段、３０４…警告手段、３０５…プレビュー画像生成手段、３０６…印刷制御手段、３１０…プログラム、３１１…ラスター画像データ（ＣＭＹＫ版）、３１２…ラスター画像データ（ＴＡＧ版）、３１３…プレビュー画像、３１４…スクリーンパターンテーブル、３１５…ジョブ履歴情報
【図１】
2020005117.tif 000003
【図２】
2020005117.tif 000004
【図３】
2020005117.tif 000005
【図４】
2020005117.tif 000006
【図５】
2020005117.tif 000007
【図６】
2020005117.tif 000008